(57)【要約】【課題】  いかなる方向から荷重や衝撃を受けても均一な弾性を示すことにより、優れた体圧分散と適正な身体のサポートが得られるダンパー、ダンパーユニット、および、ベッドを提供する。【解決手段】  ダンパー１０は弾性を有する樹脂発泡体からなり、その形状は側面１１と略円形または略楕円形の正面１２ａ及び背面１２ｂとからなる略円筒形であり、正面から背面に貫通する１以上の孔１４を備え、貫通する孔１４の形状は略円形または略楕円形の形状であり、ダンパーの円筒形の中心軸Ｃを荷重方向に対し垂直に配置して荷重を受けるようにして使用されるダンパー、かかるダンパーを使用したベッドに取り付けるためのダンパーユニット、および、そのダンパーユニットを使用したベッド。【選択図】  図１
2014050566.tif 000002
【特許請求の範囲】
【請求項１】
複数のダンパーでマットレスを支持するダンパーであって、
前記ダンパーは弾性を有する樹脂発泡体からなり、
その形状は側面と略円形または略楕円形の正面及び背面とからなる略円筒形であり、
前記正面から背面に貫通する１以上の孔を備え、前記貫通する孔の形状は略円形または略楕円形の形状であり、
前記ダンパーの円筒形の中心軸を荷重方向に対し垂直に配置して荷重を受けるようにして使用されるダンパー。
【請求項２】
前記側面の一部において荷重方向に垂直な面を設置面とし、当該設置面が対向する２辺が母線である矩形平面となることを特徴とする請求項１に記載のダンパー。
【請求項３】
前記略円筒形の中心軸を通り、前記設置面に対して垂直方向から受ける荷重に対する軸を基準にして、前記正面から背面に貫通する前記孔が線対称に形成されていることを特徴とする請求項２に記載のダンパー。
【請求項４】
請求項１乃至３のいずれかに記載のダンパーと、
前記ダンパーを内部に配置して、前記ダンパーの前記側面に当接して保持する保持部と、
マットレスを支持する支持部と、
当該支持部と前記保持部とを連結する連結部と、
前記保持部の下部に配置して、基台に取り付ける取付部と、
を備えるダンパーユニット。
【請求項５】
請求項４に記載のダンパーユニットが複数取り付けられたベッド。
【発明の詳細な説明】
【技術分野】
【０００１】
本発明は、マットレスを支持するダンパー、そのダンパーを含むダンパーユニット、および、そのダンパーユニットを備えるベッドに関する。
【背景技術】
【０００２】
従来、人が直接寝たり座ったりするベッドやソファのマットレスを支持するすのこには、単なる床板のみからなるすのこに加え、より優れた体圧分散を実現し、それぞれの人の身体にフィットした寝心地や座り心地を得るために、すのこ自体にクッション性を持たすことが知られている（例えば、特許文献１）。
【０００３】
そのすのこ自体のクッション性において、より良い体圧分散を実現するために点で支える構造が好ましいとされている。従来、点で支える構造としては、コイルスプリングを面上に配置することがなされていたが、近年では、コイルスプリングに代えて樹脂発泡体から形成されたばね要素を配置することが実用化されている。
【０００４】
例えば、特許文献２では、クロスバー構造を有する各ばね要素の主体を成すばね本体が、少なくとも１つの室を有する中空室成形品として構成されており、各ばね本体の軸線が、ばね本体の頭部に設けた支持受皿に対して平行な平面内に位置していて負荷力の方向に対して直角な方向に配向されており、かつばね本体が、一体に成形されたプラスチック成形部品として構成されているクッション性を有するすのこが開示されている。
【先行技術文献】
【特許文献】
【０００５】
【特許文献１】米国特許５４２６７９９号公報
【特許文献２】特開平８−２５２１５１号公報
【発明の概要】
【発明が解決しようとする課題】
【０００６】
図７に示すような従来技術のクロスバー構造を有するエラストマーからなるばね要素であるダンパーは、Ｐ１のように真上から荷重を受ける場合には、スムーズな変形により荷重を吸収分散できる。しかし、それ以外の方向、例えばＰ２のようにクロスバーを軸線に含むような荷重を受ける場合には、荷重の受け始めに大きな抗力を示し、クロスバーが屈曲すると突然異なる抗力を示すことになる。即ち、荷重や衝撃の入力方向により、ダンパーの弾性性能が不均一となり、優れた体圧分散を実現し、身体にフィットした寝心地や座り心地を得ることが困難であった。
【０００７】
そこで、本発明は、上記問題に鑑みてなされたものであり、本発明の目的とするところは、いかなる方向から荷重や衝撃を受けても均一な弾性を示すことにより、優れた体圧分散と適正な身体のサポートが得られるダンパーを提供することにある。さらに、かかるダンパーを使用したベッドに取り付けるためのダンパーユニット、および、そのダンパーユニットを使用したベッドを提供する。
【課題を解決するための手段】
【０００８】
上記課題を解決するために、複数のダンパーでマットレスを支持するダンパーであって、そのダンパーは弾性を有する樹脂発泡体からなり、その形状は側面と略円形または略楕円形の正面及び背面とからなる略円筒形であり、正面から背面に貫通する１以上の孔を備え、その貫通する孔の形状は略円形または略楕円形の形状であり、ダンパーの円筒形の中心軸を荷重方向に対し垂直に配置して荷重を受けるようにして使用されるダンパーが提供される。
これによれば、いかなる方向から荷重や衝撃を受けても均一な弾性を示すことにより、優れた体圧分散と適正な身体のサポートが得られるダンパーを提供することができる。
【０００９】
さらに、側面の一部において荷重方向に垂直な面を設置面とし、その設置面が対向する２辺が母線である矩形平面となることを特徴としてもよい。
これによれば、いかなる方向から荷重や衝撃を受ける場合であっても、ダンパーを安定的に配置できる。
【００１０】
さらに、ほぼ円筒形の中心軸を通り、設置面に対して垂直方向から受ける荷重に対する軸を基準にして、正面から背面に貫通する孔が線対称に形成されていることを特徴としてもよい。
これによれば、いかなる方向から荷重や衝撃を受けても、より優れた体圧分散と適正な身体のサポートが得られるダンパーを提供することができる。
【００１１】
別の観点によれば、上記課題を解決するために、上記のダンパーと、そのダンパーを内部に配置して、そのダンパーの側面に当接して保持する保持部と、マットレスを支持する支持部と、その支持部とその保持部とを連結する連結部と、その保持部の下部に配置して、基台に取り付ける取付部と、を備えるダンパーユニットが提供される。
これによれば、いかなる方向から荷重や衝撃を受けても均一な弾性を示すことにより、優れた体圧分散と適正な身体のサポートが得られるダンパーを含むダンパーユニットを提供することができる。
【００１２】
別の観点によれば、上記課題を解決するために、上記のダンパーユニットが複数取り付けられたベッドが提供される。
これによれば、いかなる方向から荷重や衝撃を受けても均一な弾性を示すことにより、優れた体圧分散と適正な身体のサポートが得られるダンパーを備えるベッドを提供することができる。
【発明の効果】
【００１３】
以上説明したように、本発明によれば、いかなる方向から荷重や衝撃を受けても均一な弾性を示すことにより、優れた体圧分散と適正な身体のサポートが得られるダンパー、ダンパーユニット、およびベッドを提供することができる。
【図面の簡単な説明】
【００１４】
【図１】本発明に係る第一実施例のダンパーの正六面図等。（Ａ）正面図、（Ｂ）平面図、（Ｃ）底面図、（Ｄ）背面図、（Ｅ）左側面図、（Ｆ）右側面図、（Ｇ）斜視図。
【図２】本発明に係る第一実施例のダンパーユニットの正六面図等（ダンパーを除く）。（Ａ）正面図、（Ｂ）平面図、（Ｃ）底面図、（Ｄ）背面図、（Ｅ）左側面図、（Ｆ）右側面図、（Ｇ）斜視図。
【図３】本発明に係る第一実施例のダンパーユニットが取り付けられたベッドの斜視図。
【図４】本発明に係る第二実施例のダンパーの正六面図等。（Ａ）正面図、（Ｂ）平面図、（Ｃ）底面図、（Ｄ）背面図、（Ｅ）左側面図、（Ｆ）右側面図、（Ｇ）斜視図。
【図５】本発明に係る第二実施例のダンパーユニットの斜視図。
【図６】本発明にダンパーのバリエーションを示す正面図。
【図７】従来技術のダンパーの（Ａ）正面図、（Ｂ）斜視図。
【発明を実施するための形態】
【００１５】
以下では、図面を参照しながら、本発明に係る実施例について説明する。
＜第一実施例＞
図１は、本発明に係る第一実施例におけるダンパー１０の正六面図等を示す。ダンパー１０は、弾性を有する樹脂発泡体からなる。
【００１６】
本発明において用いられる樹脂発泡体は、樹脂発泡体の気泡が連通された構造を有する連続気泡構造を有する。ただし、一部に半連続半独立気泡構造（独立気泡構造と連続気泡構造とが混在している気泡構造であり、その割合は特に制限されない）を含んでいてもよい。この樹脂発泡体の気泡構造は、樹脂発泡体の素材の種類に応じて、樹脂発泡体形成の際の発泡方法や発泡条件（例えば、発泡剤の種類や量、発泡の際の温度や圧力や時間など）を選択することにより調整される。
【００１７】
樹脂発泡体は、例えば、ウレタンフォーム、ポリエチレン、ポリプロピレン等のポリオレフィンフォーム、ポリ塩化ビニルフォーム、ポリスチレンフォーム、メラミン樹脂、尿素樹脂等のアミノ系樹脂フォーム、フェノール樹脂フォーム等であり、特に限定されず、また、常法によって製造される。例えば、オープン発泡体としては、原料を常温、大気圧下で自然発泡し、硬化させ、その後、裁断等により製品形状にされる。オープン発泡体の代表的なものとしてスラブ発泡体がある。スラブ発泡体は、原料をベルトコンベア上に吐出し、ベルトコンベアが移動する間に、原料が常温、大気圧下で自然発泡し、硬化することで連続的に製造され、その後、乾燥炉内で硬化（キュア）した後、所定形状に裁断される。また、モールド発泡体としては、原料をモールド（成形型）に注入してモールド内で発泡させ、その後に脱型することにより得られる。
【００１８】
樹脂発泡体は、長期にわたり荷重がかかるため圧縮永久歪が小さく、様々な振動を低減するため幅広い硬度域を有し高いダンピング効果を有することが好ましい。例えば、本実施例では、イノアック社製の製品名「セルダンパー」を用いており、その一般物性においては、密度は１５５〜６９０Ｋｇ／ｍ3、２５％圧縮強さは０．０４〜１．０６ＭＰａ、引張強度は０．６４〜２．６７ＭＰａ、伸びは１５０〜１７７％、引裂強度は２．０２〜８．６０Ｎ／ｍｍ、圧縮永久歪みは４．１〜８．３％である。
【００１９】
ダンパー１０の形状（外形）は、側面１１とほぼ円形の正面１２ａ及び背面１２ｂとからなるほぼ円筒形（円柱形）である。円筒形であれば、押出し成型も可能であり安価に製造することができる。なお、側面１１は、中心軸Ｃの方向に曲率を有していてもよく、その場合は太鼓形をなすことになる。また、正面１２ａと背面１２ｂはほぼ楕円形であってもよい。この場合、短径方向が荷重を受ける方向に一致すると安定し易い。また、本実施例では、正面１２ａと背面１２ｂとは互いに平行であるが、これに限定されない。互いに平行でない場合は、側面視で上側から下側に向けて正面と背面の距離が大きくなるようにすると安定し易い。また、本実施例では、正面１２ａおよび背面１２ｂと側面とは直角をなし、平面視長方形であるが、これに限定されず、平面視平行四辺形であってもよい。
【００２０】
ダンパー１０は、正面１２ａから背面１２ｂに貫通する１つの孔１４を備える。孔１４の形状は、正面視でほぼ円形であるが、ほぼ楕円形であってもよい。本実施例では、正面視で孔１４の中心は、正面１２ａおよび背面１２ｂの中心と同心であるが、これに限定されない。但し、上方からの荷重に対する偏心がないので、両方の中心が、正面視左右方向で一致していることが好ましい。また、両方の中心が、円筒形のダンパー１０の中心軸Ｃに一致していることがより好ましい。そうすると、側面１１と内側面１５との距離が一定となり、ダンパー１０の変形が上下左右で対称となりやすく、荷重に対する均一な弾性を示しやすい。
【００２１】
ダンパー１０は、その円筒形の中心軸Ｃを荷重方向に対し垂直に配置して荷重を受けるようにして使用される。即ち、円筒を横置きにして、側面１１に荷重がかかるようにして使用される。円筒形の側面から荷重を受ける場合、球状に比べ線（母線）で荷重を受けることができ、荷重を受けた時に安定感がある。また、ダンパー１０の外形が円筒形であれば、太鼓型よりも、その弾性の制御がしやすい。
【００２２】
かかるダンパー１０を、すのことマットレスの間に複数配置することで、ダンパー１０はマットレスを支持する。そうすると、複数のダンパーでマットレスを支持するダンパー１０であって、ダンパー１０は弾性を有する樹脂発泡体からなり、その形状は側面１１と略円形または略楕円形の正面１２ａ及び背面１２ｂとからなる略円筒形であり、正面１２ａから背面１２ｂに貫通する１つの孔１４を備え、貫通する孔１４の形状は略円形または略楕円形の形状であり、ダンパー１０の円筒形の中心軸Ｃを荷重方向に対し垂直に配置して荷重を受けるようにして使用されるダンパーを提供することができる。これによれば、いかなる方向から荷重や衝撃を受けても均一な弾性を示すことにより、優れた体圧分散と適正な身体のサポートが得られるダンパーを提供することができる。
【００２３】
また、ダンパー１０は、側面１１の一部において荷重方向に垂直な面を設置面１３とし、対向する２辺が母線である矩形平面となる設置面１３を有する。これによれば、いかなる方向から荷重や衝撃を受ける場合であっても、ダンパーを安定的に配置できる。本実施例では、設置面１３の母線は、正面１２ａから背面１２ｂまでをなすが、これに限定されず、かかる母線の一部となる母線であってもよい。
【００２４】
図２は、本実施例におけるダンパーユニット２０の正六面図等を示す。なお、ダンパーユニット２０はダンパー１０を含むが、本図ではダンパー１０を図示しない。ダンパーユニット２０は、ダンパー１０を内部に配置して、ダンパー１０の側面に当接して保持する保持部２１と、マットレスを支持する支持部２２と、支持部２２と保持部２１とを連結する連結部２４と、保持部２１の下部に配置して、基台に取り付ける取付部２３とを備える。これによれば、いかなる方向から荷重や衝撃を受けても均一な弾性を示すことにより、優れた体圧分散と適正な身体のサポートが得られるダンパー１０を含むダンパーユニット２０を提供することができる。
【００２５】
保持部２１は、環状をなし、ダンパー１０の側面１１に当接して、ダンパー１０を周りから保持する。なお、保持部２１は弾性を有し、ダンパー１０の均一な弾性を有効に利用するために、その弾性率は、ダンパー１０の弾性率に比し小さいことが好ましい。また、本実施例では、保持部２１の材質は、プラスチックであるが、かかる弾性率を有すれば何であってもよく、プラスチック、金属など、特に限定されない。
【００２６】
支持部２２は、保持部２１と連結部２４において連結され、上にマットレスが載置され、複数の支持部２２で下からマットレスを支持する。本実施例では、支持部２２の材質は、プラスチックであるが、マットレスを支持する強度を有すれば何であってもよく、プラスチック、金属など、特に限定されない。
【００２７】
本実施例では、連結部２４は、支持部２２と保持部２１とがプラスチックなので、互いに融着させて一体成形されているが、これに限定されず、鋲止めなどであってもよい。
【００２８】
取付部２３は、ベッドの基台にある取り付けバーを挟み込むように取り付けられる。取付部２３は、保持部２１と反対側の下部に解放された部分を有すると共に、弾性を有する材質からなり、取付部２３を取り付けバーに取り付ける際には、取付部２３の下部にある解放された部分を取り付けバーの巾以上に広げて、自らの弾性力により取り付けバーを挟み込むようにして取り付けられる。
【００２９】
図３は、本実施例のダンパーユニット２０が取り付けられたベッドの斜視図である。図示されたように、複数のダンパーユニット２０が、ベッドの基台に取り付けられ、すのこを形成する。この複数のダンパーユニット２０で形成されたすのこの上に、マットレスが載置され、ベッドとなる。これによれば、いかなる方向から荷重や衝撃を受けても均一な弾性を示すことにより、優れた体圧分散と適正な身体のサポートが得られるダンパーを備えるベッドを提供することができる。
【００３０】
本実施例における１つの孔１４の直径の違いにより、側面１１に荷重を受けた場合のダンパー１０のひずみは異なる、即ち、そのダンパー１０の弾性係数は異なるものとなる。例えば、樹脂発泡体として、イノアック社製  製品名：ＢＦ−３００（密度は３１２Ｋｇ／ｍ3、２５％圧縮強さは０．１４ＭＰａ、引張強度は１．１１ＭＰａ、伸びは１７７％、引裂強度は４．６３Ｎ／ｍｍ、圧縮永久歪は６．６％）を用い、ダンパー１０の正面１２ａおよび背面１２ｂの直径を６０ｍｍとした場合、孔１４の直径が１０ｍｍだと弾性係数は５．８６、孔１４の直径が２０ｍｍだと弾性係数は３．３３、孔１４の直径が２９ｍｍだと弾性係数は１．６７、孔１４の直径が３６ｍｍだと弾性係数は０．７５と変化する。
【００３１】
すのこにおいてダンパーを置く位置などにより異なる弾性係数を有する必要があるので、ダンパーの弾性係数を正確に定める必要があるが、樹脂発泡体自体で弾性係数を正確に制御しようとするのは困難である。一方、上述のように、孔１４の径の大きさの変化により弾性係数を容易に制御することが可能である。
【００３２】
また、従来技術のダンパーは、荷重の方向により弾性係数が異なったが、本実施例のダンパー１０は、荷重の方向により弾性係数が異なるようなことがない。また、本実施例のダンパー１０は、荷重初期の小変形量において滑らかに荷重に応答し、２００Ｎを超える中高荷重時においても滑らかにリニアに荷重変形することができ、さらに、樹脂発泡体からなるので従来技術のダンパーに比べ底付き感も小さく、クッション性が良好となる。
【００３３】
＜第二実施例＞
図４は、本実施例におけるダンパー１０Ａの正六面図等を示す。なお、重複説明を避けるため、第一実施例と異なる点のみ記載する。
【００３４】
ダンパー１０Ａは、正面１２ａＡから背面１２ｂＡに貫通する７つの孔１４Ａを備える。孔１４の形状は、正面視でほぼ円形であるが、ほぼ楕円形であってもよく、荷重がかかった時に応力が集中するような角のない形状が好ましい。孔１４Ａの径は、第一実施例に比べ、小さい。正面１２ａや背面１２ｂにおける孔１４Ａは、中心軸Ｃを中心にして均等に配置されている。本実施例においても、ダンパー１０Ａの変形が左右で対称であり、上方からの荷重に対する偏心がなく、荷重に対する均一な弾性を示す。これによれば、いかなる方向から荷重や衝撃を受けても均一な弾性を示すことにより、優れた体圧分散と適正な身体のサポートが得られるダンパーを提供することができる。
【００３５】
図５は、本実施例におけるダンパーユニット２０Ａの斜視図を示す。ダンパーユニット２０Ａは、ダンパー１０Ａを内部に配置して、ダンパー１０Ａの側面に当接して保持する保持部２１Ａと、マットレスを支持する支持部２２Ａと、支持部２２Ａと保持部２１Ａとを連結する連結部２４Ａと（図示せず）、保持部２１Ａの下部に配置して、基台に取り付ける取付部２３Ａとを備える。これによれば、いかなる方向から荷重や衝撃を受けても均一な弾性を示すことにより、優れた体圧分散と適正な身体のサポートが得られるダンパー１０Ａを含むダンパーユニット２０Ａを提供することができる。
【００３６】
＜変形例＞
ここで、図６を参照し、ダンパーの孔の変形例を説明する。孔の形状自体は、荷重がかかった時に応力が集中するような角のない曲率を有する形状が好ましいので、円形の場合で説明するが、これに限定されない。
【００３７】
図６（Ａ）は、第一実施例のダンパー１０の正面図を示す。孔１４は、外形の円と同心の１つのほぼ円である。即ち、ほぼ円筒形の中心軸Ｃを通り、設置面１３に対して垂直方向から受ける荷重に対する軸Ｓを基準にして、正面１２ａから背面１２ｂに貫通する孔１４が線対称に形成されている。これによれば、いかなる方向から荷重や衝撃を受けても、より優れた体圧分散と適正な身体のサポートが得られるダンパーを提供することができる。
【００３８】
図６（Ｂ）は、孔１４Ｂを２つ有するダンパー１０Ｂを示す。孔１４Ｂは、線対称軸Ｓを挟み左右に配置されている。即ち、ほぼ円筒形の中心軸Ｃを通り、設置面１３Ｂに対して垂直方向から受ける荷重に対する軸Ｓを基準にして、正面１２ａＢから背面１２ｂＢに貫通する孔１４Ｂが線対称に形成されている。これによれば、いかなる方向から荷重や衝撃を受けても、より優れた体圧分散と適正な身体のサポートが得られるダンパーを提供することができる。なお、この変形例では、２つの孔が左右対称に配置されているが、円の中心を軸Ｓ上に置き、上下に配置されてもよい。
【００３９】
図６（Ｃ）は、孔１４Ｃを３つ有するダンパー１０Ｃを示す。孔１４Ｃは、２つの孔が線対称軸Ｓを挟み左右に配置され、残りの１つの孔が線対称軸Ｓで二分割されるように配置されている。即ち、ほぼ円筒形の中心軸Ｃを通り、設置面１３Ｃに対して垂直方向から受ける荷重に対する軸Ｓを基準にして、正面１２ａＣから背面１２ｂＣに貫通する孔１４Ｃが線対称に形成されている。これによれば、いかなる方向から荷重や衝撃を受けても、より優れた体圧分散と適正な身体のサポートが得られるダンパーを提供することができる。なお、この変形例では、下方に２つの孔、上方に１つの孔が配置されているが、下方に１つの孔、上方に２つの孔が配置されてもよい。
【００４０】
図６（Ｄ）は、孔１４Ｄを５つ有するダンパー１０Ｄを示す。孔１４Ｄは、中心軸Ｃを中心として、一つの頂点を線対称軸Ｓ上に有する、ほぼ正五角形として配置されている。即ち、ほぼ円筒形の中心軸Ｃを通り、設置面１３Ｄに対して垂直方向から受ける荷重に対する軸Ｓを基準にして、正面１２ａＤから背面１２ｂＤに貫通する孔１４Ｄが線対称に形成されている。これによれば、いかなる方向から荷重や衝撃を受けても、より優れた体圧分散と適正な身体のサポートが得られるダンパーを提供することができる。
【００４１】
図６（Ｅ）は、孔１４Ｅを６つ有するダンパー１０Ｅを示す。孔１４Ｅは、中心軸Ｃを中心として、一つの頂点を線対称軸Ｓ上に有する、ほぼ正五角形として配置されていると共に、さらに１つが中心軸と同心に配置されている。即ち、ほぼ円筒形の中心軸Ｃを通り、設置面１３Ｄに対して垂直方向から受ける荷重に対する軸Ｓを基準にして、正面１２ａＥから背面１２ｂＥに貫通する孔１４Ｅが線対称に形成されている。これによれば、いかなる方向から荷重や衝撃を受けても、より優れた体圧分散と適正な身体のサポートが得られるダンパーを提供することができる。
【００４２】
図６（Ｆ）は、第二実施例のダンパー１０Ａの正面図を示す。ダンパー１０Ａは、孔１４Ａを７つ有する。孔１４Ａは、中心軸Ｃを中心として、２つの頂点を線対称軸Ｓ上に有する、ほぼ正六角形として配置されていると共に、さらに１つが中心軸と同心に配置されている。即ち、ほぼ円筒形の中心軸Ｃを通り、設置面１３Ａに対して垂直方向から受ける荷重に対する軸Ｓを基準にして、正面１２ａＡから背面１２ｂＡに貫通する孔１４Ａが線対称に形成されている。これによれば、いかなる方向から荷重や衝撃を受けても、より優れた体圧分散と適正な身体のサポートが得られるダンパーを提供することができる。
【００４３】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４４】
１      ベッドの基台
１０    ダンパー
１１    側面
１２ａ  正面
１２ｂ  背面
１３    設置面
１４    孔
１５    内側面
２０    ダンパーユニット
２１    保持部
２２    支持部
２３    取付部
２４    連結部
Ｃ      中心軸
Ｓ      線対称軸
【図１】
2014050566.tif 000003
【図２】
2014050566.tif 000004
【図３】
2014050566.tif 000005
【図４】
2014050566.tif 000006
【図５】
2014050566.tif 000007
【図６】
2014050566.tif 000008
【図７】
2014050566.tif 000009